(57)【要約】【課題】プラテンカバーが開状態の場合に見かけの輝度を大幅に低減して、ユーザがまぶしく感じる状況を低減できる画像読取装置を提供する。【解決手段】プラテンカバー３を有し、原稿を設置するためのフラットベッド２と、少なくとも光源部８を移動させながら、原稿に光を照射して原稿の読み取り走査を実行する読取走査部１０と、光源部８と読取走査部１０とを制御可能な制御部１００とを備え、制御部１００は、プラテンカバー３を開いた状態で原稿の読取走査を実行するときには、ラインセンサ９の読取周期を、プランテンカバー３を閉じた状態で読取走査を実行する際と同じ輝度でかつ同じ露光量が得られるようにして、光源部８の消灯時間を組み込んだ時間に設定して、読取走査部を制御する。【選択図】図４
2009272806.tif 000002
【特許請求の範囲】
【請求項１】
開閉自在なプラテンカバーを有し、原稿を設置するためのフラットベッドと、
上記フラットベッドに沿ってラインセンサと光源部とを移動させながら、上記原稿に光を照射して原稿の読み取り走査を実行する読取走査部と、
上記光源部と上記読取走査部とを制御可能な制御部とを備え、
上記制御部は、プラテンカバーを開いた状態で原稿の読取走査を実行するときには、上記ラインセンサの読取周期を、上記プランテンカバーを閉じた状態で読取走査を実行する際と同じ輝度でかつ同じ露光量が得られるようにして、上記光源の消灯時間を組み込んだ時間に設定して、上記読取走査部を制御することを特徴とする画像読取装置。
【請求項２】
請求項１において、
上記制御部は、原稿読取指令を受けたときに、プラテンカバーを開いた状態での原稿読取走査か、プランテンカバーを閉じた状態での原稿読取走査かを判別し、上記原稿読取走査時における走査速度をそれに応じて低下させるようにしていることを特徴とする画像読取装置。
【請求項３】
請求項１また２において、
上記読取制御部は、光源部の移動を行うパルスモーターを備えており、
上記制御部は、上記パルスモーターのパルスの整数倍に上記ラインセンサの読取周期を設定し、かつ上記パルスモーターのパルス幅を変化させることで上記光源部の移動速度をそれに応じて低下させることを特徴とする画像読取装置。
【発明の詳細な説明】
【技術分野】
【０００１】
本発明は、光学的に原稿の読取を行うためのフラットベット型の画像読取装置の改良に関する。
【背景技術】
【０００２】
一般に、光学的に原稿の読取を行うためのフラットベット型の画像読取装置は、原稿が置かれたフラットベッドと、フラットベッドを開閉自在に覆うプラテンカバーとを備えている。また、フラットベッドに沿って移動して原稿を照射する光源部を有する読取走査部を備えている。
【０００３】
このようなフラットベット型画像読取装置の原稿を照明するには、従来、蛍光管や冷陰極管が使用されていた。しかし、近年、原稿を撮影する撮影部の露光時間を短くして読み取り速度を向上させるという目的のために、より輝度の高いLEDアレイが光源部に使用されるようになってきている。
【０００４】
しかしながら、輝度の高いLEDアレイを用いた画像読取装置で原稿を読み取る場合、プラテンカバーを閉めない状態で、原稿の読み取りが行われると（いわゆるスカイショット）、光源からの光の一部が、ユーザの眼に入ってまぶしく感じられるという不具合があった。
【０００５】
従来のような蛍光管や冷陰極管の光源の場合は、光量はそれ程高くなく、光源を見てしまってもそれ程問題にはならなかった。しかし、近年のように光源が高輝度ＬＥＤアレイの場合には、ユーザにとって非常にまぶしく感じてしまうという問題がある。
【０００６】
このような事態を解消するための技術として、例えば、特許文献１には、原稿１ページの読み取り間隔の中に光源が消灯している時間を挿入する技術が開示されている。すなわち、この特許文献１の技術では、原稿と原稿との間に消灯している時間を挿入して、点灯時間と消灯時間とを含めた読取時間がプラテンカバーの閉状態の場合の読取時間よりも長くなるように制御する。そして、このように原稿１ページの読み取り間隔の中に光源が消灯している時間の挿入により、光源の見かけの輝度を下げて、ユーザーがまぶしく感じることを少なくするように構成されている。
【特許文献１】特開平５−２４９８１２号公報
【発明の開示】
【発明が解決しようとする課題】
【０００７】
しかしながら、上述の特許文献１に開示された技術は、アナログコピー機に関する技術であるだけでなく、原稿１ページの読み取り間隔という比較的長い時間の中に光源が消灯している時間を挿入するだけであった。そのため、実質的見かけの輝度は、プラテンカバーが閉状態の場合とほとんど変化が無く、ユーザーがまぶしく感じることを低減する効果が少なかった。
【０００８】
本発明は上記事情に鑑みてなされたものであり、プラテンカバーが開状態の場合に見かけの輝度を大幅に低減して、ユーザーがまぶしく感じる状況を低減することができる画像読取装置を提供する。
【課題を解決するための手段】
【０００９】
上記目的を解決するために、本発明の画像読取装置は、開閉自在なプラテンカバーを有し、原稿を設置するためのフラットベッドと、上記フラットベッドに沿ってラインセンサと光源部とを移動させながら、上記原稿に光を照射して原稿の読み取り走査を実行する読取走査部と、上記光源部と上記読取走査部とを制御可能な制御部とを備え、上記制御部は、プラテンカバーを開いた状態で原稿の読取走査を実行するときには、上記ラインセンサの読取周期を、上記プランテンカバーを閉じた状態で読取走査を実行する際と同じ輝度でかつ同じ露光量が得られるようにして、上記光源の消灯時間を組み込んだ時間に設定して、上記読取走査部を制御することを特徴とする。
【００１０】
ここで、上記制御部は、原稿読取指令を受けたときに、プラテンカバーを開いた状態での原稿読取走査か、プランテンカバーを閉じた状態での原稿読取走査かを判別し、上記原稿読取走査時における走査速度をそれに応じて低下させるのが好ましい。
【００１１】
また、上記読取制御部は、光源部の移動を行うパルスモーターを備えており、上記制御部は、上記パルスモーターのパルスの整数倍に上記ラインセンサの読取周期を設定し、かつ上記パルスモーターのパルス幅を変化させることで上記光源部の移動速度をそれに応じて低下させる本発明の画像読取装置は、上記光源部の移動を行うパルスモーター１１２を備え、上記制御部は、上記パルスモーター１１２のパルスの整数倍に上記ラインセンサの読取周期を設定し、かつ上記パルスモーター１１２のパルス幅を変化させることで上記光源部の移動速度を可変制御することが好ましい。
【発明の効果】
【００１２】
本発明によれば、ラインセンサの読取走査時に消灯時間を加えているので、読取走査速度は遅くなるが、スカイショット時の光量は低下させずに、まぶしさ感をなくすことができる。また、ラインセンサ読取時の輝度と露光量に変動がないので、シェーディングデータを、通常の読み取り時、スカイショット時で共用できる。
【００１３】
このように、本発明によれば特に、ディジタルスキャナーに適している。
【００１４】
さらに、原稿読取走査時における走査速度をそれに応じて低下させるようにすれば、消灯時間の間に走査を停止させずに原稿をスキャンできる。
【００１５】
そして、パルスモーターのパルスの整数倍にラインセンサの読取周期を設定し、パルス幅を変化させることで光源部の移動速度をそれに応じて低下させるようにすれば、パルスモーターのパルス幅を長くするだけで、ラインセンサの読取周期を長くできる。また、光源部の移動速度を低下させることとを同時に行うことができる。
【発明を実施するための最良の形態】
【００１６】
以下、添付図面を参照しながら本発明の好ましい実施の一形態について説明する。図１は、本発明の実施の形態の画像読取装置１の構成を示す説明図であり、図２は、画像読取装置１の制御部１００の構成を示すブロック図である。
【００１７】
画像読取装置１は、ここではスキャナ装置と、プリンタ装置と、コピー装置とを兼用するオフィス用複合機を想定している。
【００１８】
この画像読取装置１は、図１に示すように、原稿が置かれるフラットベッド２と、このフラットベッド２を開閉自在に覆うプラテンカバー３と、本体２１の前方に設けられた操作パネル４と、本体２１の向かって右側の側面に設けられた記録紙挿入部５とを備えている。
【００１９】
ここで、フラットベッド２は、画像読取装置１の本体２１の上面に設けられたプラテンガラスによって構成されている。
【００２０】
また、プラテンカバー３は、原稿の読み取り時にフラットベッド２を遮光し、画像読取装置１の本体２１の上面にヒンジ６を介して開閉自在に取り付けられている。
【００２１】
ヒンジ６には、プラテンカバー３が閉じる直前に導通する電気スイッチ等で構成されるプラテンカバー状態検知部７(図２)が付設されている。そして、このプラテンカバー状態検知部７により、プラテンカバー３の開閉状態が検出できる。
【００２２】
操作パネル４は、読取開始を指令するスタートボタン２２等の各種操作キー４bと、液晶パネル等からなる表示窓２４とで構成されている。
【００２３】
また、図１には示していないが、この画像読取装置１は、本体２１の内部に、読取走査部１０(図２) が内蔵されている。この読取走査部１０は、フラットベッド２に沿って移動して原稿を照射する光源部８(図２) を備えている。また、この読取走査部１０は、光源部８と同様にフラットベッド２に沿って移動して、光源部８から照射された光によって原稿を撮影するラインセンサ９(図２)を有している。ラインセンサ９は、原稿を撮影する撮影素子としてＣＣＤ（チャージカップルドデバイス）により原稿を撮影するようになっている。なお、ラインセンサを筐体に固定し、ミラーを搭載したキャリッジにより、原稿からの反射光をラインセンサに導くようにしてもよい。
【００２４】
このように、読取走査部１０は、フラットベッド２に沿って光源部８とラインセンサ９とを移動させながら、原稿に光を照射して原稿の読み取り走査を実行するように構成されている。そして、光源部８の移動とラインセンサ９の移動とは、パルスモーター１１２の駆動によって行われる。
【００２５】
上記制御部は、上記パルスモーター１１２のパルスの整数倍に上記ラインセンサ９の読取周期を設定し、かつ上記パルスモーター１１２のパルス幅を変化させることで上記光源部８の移動速度をそれに応じて低下させる。
【００２６】
また、この画像読取装置１は、本体２１の内部に、読み取った原稿等を印刷して出力する印刷部１１(図２)を内蔵している。
【００２７】
さらに、この画像読取装置１は、本体２１の内部に、図２に示す制御部１００を備えている。
【００２８】
ここで、制御部１００は、パーソナルコンピュータ等の通信装置１２とネットワーク１３等を通じて通信する通信部１０１と、ＣＰＵ（セントラルプロセッシングユニット）１０２を備えている。また、ＲＯＭ（リードオンリーメモリ）１０３と、SＲＡＭ（スタティックランダムアクセスメモリ）１０４とを備えている。そして、ＣＰＵ１０２は、シリアルバス１１１を介して音声発生部１２０ (図３)と接続されている。
【００２９】
制御部１００は、また、読取を制御する読取制御部１０５と、原稿を読み取った画像データに所定の画像処理を施す読取用画像処理回路１０６とを備えている。
【００３０】
読取制御部１０５には、プラテンカバー状態検知部７と、特に高輝度のＬＥＤ（ライトエミッティングダイオード）アレイが設けられた光源部８と、光源部８の移動を制御するモータ１１２のドライバ回路１１３が接続されている。
【００３１】
また、読取用画像処理回路１０６は、ラインセンサ９に接続されている。
【００３２】
制御部１００は、また、印刷すべき画像データの色空間の変換等を行う印刷用画像処理回路１０７と、画像データに対してファイル形式の変換を行うコーデック１０９とを備えている。また、制御部１００は、読み取った画像データあるいは印刷すべき画像データを蓄積する画像メモリ１１０を備えている。
【００３３】
次に図３を参照して、本発明の実施の形態に係る画像読取装置１の制御と作用について説明する。
【００３４】
画像読取装置１の基本動作は、従来の装置のオフィス用複合機と基本的に同様である。すなわち、スキャナ装置としては、操作パネル４の操作に応じて、フラットベッド２に置かれた原稿を読み取り、その画像データをネットワーク１３を通じて通信装置１２に伝送する。また、プリンタ装置としては、ネットワーク１３を通じて通信装置１２から印刷指令と共に画像データを受け付け、受け付けた画像データを記録紙に印刷して出力する。さらに、コピー装置としては、操作パネル４の操作に応じて、フラットベッド２に置かれた原稿を読み取り、読み取った画像データを記録紙に印刷して出力する。
【００３５】
ここで、画像読取装置１の走査撮影は、原稿が置かれたフラットベッド２に沿って光源部８とラインセンサ９とを平行移動させつつ、光源部８から照射した光を原稿で反射させ、更に反射ミラー等でラインセンサ９に導いて、反射光が結像された原稿の部分像を逐次撮影することでなされる。部分像は画像データとして撮影順序に従って連結される。
【００３６】
ここで、制御部１００の制御のうち、光源部の制御について説明する。図３は、制御部１００の光源部の制御要領を示すフローチャートである。
【００３７】
画像読取装置１の制御部１００においては、図３に示すように、まず、ステップＳ１において、スタートボタン２２が押されると、ステップＳ２において、プラテンカバー３が開かどうかが判定される。すなわち、プラテンカバー３を開いた状態での原稿読取走査か、プランテンカバー３を閉じた状態での原稿読取走査かが判定される。そして、閉状態の場合は、ステップＳ３に進んで、周期をAとする通常の読み取りパラメータが読み取り制御部１０５に設定される。
【００３８】
また、ステップＳ２において、開状態すなわち、プラテンカバー３が開と判断された場合は、ステップＳ４に進んで、周期をBとする低速の読み取りパラメータが読み取り制御部１０５に設定される。
【００３９】
そして、ステップＳ５に進み、光源部８が点灯する。
【００４０】
その後、ステップＳ６に進み、パルスモーター１１２の回転が開始される。
【００４１】
また、ステップＳ７において、設定された読み取りパラメータを用いて周期をAとする通常の読み取りか、周期をBとする低速の読み取りか、いずれかの条件で原稿が走査撮影される。
【００４２】
この時、読取制御部１０５が、光源部８を点灯させ、また、ドライバ回路１１３を介してモータ１１２の回転を開始させる。このモータ１１２の回転によって、光源部８は待機位置からフラットベッド２に沿って平行移動する。
【００４３】
ここで、通常の読み取りと低速の読み取りについて説明する。図４は、光源部の通常の読み取りと低速の読み取りの違いについて説明する説明図である。ここで、図４（ａ）は、通常の読み取りの場合のタイムチャートであり、（ｂ）は、低速の読み取りの場合のタイムチャートである。ＨＳＹＮＣは、ラインセンサ９の読み取りの同期周期を、Ｖｌｅｄは、輝度の変化を、Ｍ−Ｃｌｋは、パルスモーター１１２の駆動パルスをそれぞれ示している。
【００４４】
図４（ａ）に示すように、通常の読み取りの場合は、輝度Ｖｌｅｄは、一定のままで、点灯状態が継続され、パルスモーター１１２の２パルスがラインセンサ９の読み取り周期Aに相当している。
【００４５】
一方、低速の読み取りの場合は、図４（ｂ）に示すように、輝度Ｖｌｅｄは、一定のままである。また、光源は、点灯時間B１と消灯時間B２とを繰り返し、パルスモーター１１２の長くなったパルス幅の２パルス分がラインセンサ９の読み取り周期Bに相当している。
【００４６】
このように、制御部１００は、周期をBとする低速の読み取りの場合、すなわち、プラテンカバー３を開いた状態で原稿の読取走査を実行するときには、プランテンカバー３を閉じた状態で読取走査を実行する際と同じ輝度にしている。また、同じ露光量が得られるように点灯時間B１を時間Aと同じにするとともに、ラインセンサ９の読取周期Bに光源の消灯時間B２を組み込んだ時間に設定して、読取走査部１０を制御する。
【００４７】
そして、ステップＳ８において、原稿終端まで撮影が完了したかどうかが判定され、ＮＯの場合は、ステップＳ７に戻って、原稿の走査撮影が継続される。
【００４８】
このように、原稿の始端から終端まで光源部８を定速度で移動させながら、所定の時間間隔でラインセンサ９を作動させて、原稿を終端まで走査撮影して原稿をスキャンする。
【００４９】
また、ステップＳ８において、ＹＥＳの場合は、ステップＳ９に進み、光源部を消灯させ、ステップＳ１０に進んで、モータ１１２を逆回転させて、光源部８を待機位置に復帰させるというキャリッジの複動を行い、パルスモーター１１２の回転を停止させる。そして、ステップＳ１１において一連の制御を終了する。
【００５０】
このように、制御部１００は、プラテンカバーを開いた状態で原稿の読取走査を実行するときには、ラインセンサ９の読取周期を、プランテンカバー３を閉じた状態で読取走査を実行する際と同じ輝度でかつ同じ露光量が得られるようにして、光源８の消灯時間を組み込んだ時間に設定するとともに、原稿読取走査時におけるラインセンサ９の移動速度を遅くして読取走査部１０を制御する。
【００５１】
また、制御部１００は、パルスモーター１１２のパルスの整数倍にラインセンサ９の読取周期を設定し、かつパルスモーター１１２のパルス幅を変化させることで光源部８の移動速度をそれに応じて低下させる。
【００５２】
以上説明したように、本発明の実施の形態に係る画像読取装置１によれば、ラインセンサの１ラインの読取走査期間内に消灯時間B２を加える構成なので、読取走査速度は遅くなるが、スカイショット時の光量は低下させずに、まぶしさ感をなくせる。
【００５３】
また、ラインセンサ９による１ラインの読取走査時の輝度と露光量が、プラテンカバーを閉じて行う通常の読取走査とで変動がないのでので、シェーディングデータを、通常の読取走査時、スカイショット時で共用できる。
【００５４】
また、原稿読取指令を受けたときに、プラテンカバー３を開いた状態での原稿読取走査か、プランテンカバー３を閉じた状態での原稿読取走査かを判別し、原稿読取走査時におけるラインセンサ９の移動速度をそれに応じて低下させるようにしたものでは、原稿の読取走査に先駆けて特別なモード設定の切換操作を行う必要なく、利便である。
【００５５】
さらに、パルスモーター１１２のパルス幅を長くすることにより、ラインセンサ９の読取周期を長くし、かつ光源部８の移動速度の低下と同時に行える。
【００５６】
上述した実施の形態は本発明の好ましい具体例を例示したものに過ぎず、本発明は上述した実施の形態に限定されない。
【００５７】
例えば、画像読取装置１は、必ずしもスキャナ装置と、プリンタ装置と、コピー装置とを兼用するオフィス用複合機に限定されない。例えば、ファクシミリ複合機、スキャナ専用装置、コピー専用装置等にも適用可能である。
【００５８】
また、プラテンカバー状態検知部７は、必ずしもプラテンカバー３が閉じる直前に導通する電気スイッチ等でヒンジ６に構成されるものに限定されない。上記実施例では、プラテンカバー３の開閉状態を検知するプラテンカバー状態検知部７を設けていたが、例えば、フラットベッド２にかかる荷重を検知する荷重検知部を設け、所定値以上の荷重を検知したときには、読み取るべき原稿をブック原稿とみなすように構成してもよい。このような荷重検知部は、プラテンガラスと、プラテンガラス支持部との間に圧電素子等の配置により実現可能である。
【００５９】
また、特に本発明に関連しないが、プラテンカバー３には、ＡＤＦ（オートドキュメントフィーダ）を備えてもよい。
【００６０】
さらに、制御部１００は、ラインセンサ９の読取周期をパルスモーター１１２のパルス幅の何倍に設定してもよい。その場合でも、パルスモーター１１２のパルス幅の変化により光源部８の移動速度をそれに応じて低下できる。
【００６１】
また、ラインセンサの読み取り１周期内の露光量が一定になればよく、光源部８の消灯時間B１の組込みには、例えば、最後、最初、途中、間欠的など種々のバリーションが可能である。
【００６２】
その他、本発明の特許請求の範囲内で種々の設計変更が可能であることはいうまでもない。
【図面の簡単な説明】
【００６３】
【図１】本発明の実施の形態の画像読取装置の構成を示す説明図である。
【図２】画像読取装置の制御部の構成を示すブロック図である。
【図３】制御部の光源部の制御要領を示すフローチャートである。
【図４】光源部の通常の読み取りと低速の読み取りの違いについて説明する説明図であり、図４（ａ）は、通常の読み取りの場合のタイムチャートを、（ｂ）は、低速の読み取りの場合のタイムチャートを示す。また、ＨＳＹＮＣは、ラインセンサの読み取りの同期周期を、Ｖｌｅｄは、輝度の変化を、Ｍ−Ｃｌｋは、パルスモーターの駆動パルスをそれぞれ示している。
【符号の説明】
【００６４】
１    画像読取装置
２    フラットベッド
３    プラテンカバー
８    光源部
９    ラインセンサ
１０  読取走査部
１００  制御部
１１２  パルスモーター
A、B    ラインセンサの読取周期
B1      消灯時間
M−Ｃｌｋ  パルス
Ｖｌｅｄ    輝度
【図１】
2009272806.tif 000003
【図２】
2009272806.tif 000004
【図３】
2009272806.tif 000005
【図４】
2009272806.tif 000006